(57)【要約】【課題】遮蔽材を操作するために上部支持部材から垂下される操作コードの余分な垂れ下がりを簡単な操作で抑えることができるブラインドの操作装置を提供する。【解決手段】操作コード１４が係止可能なコード係止部２２ｂが形成される補助具２２が設けられる。該補助具２２には挿通部２２ｃが形成されて、該挿通部２２ｃに前記操作コード１４が挿通されており、補助具２２は操作コード１４に沿って相対移動可能且つ操作コード１４に対して相対回転可能となっている。【選択図】図２
2007255142.tif 000002
【特許請求の範囲】
【請求項１】
遮蔽材（１２）を操作するために上部支持部材（１０）から垂下される操作コード（１４）を有するブラインドの操作装置であって、
前記操作コード（１４）が係止可能なコード係止部（２２ｂ）が形成される補助具（２２）が設けられて、該補助具（２２）には挿通部（２２ｃ）が形成されて、該挿通部（２２ｃ）に前記操作コードまたは前記操作コード以外の上部支持部材（１０）から垂下される操作部材（２４）が挿通されており、補助具（２２）は操作コードまたは操作部材に沿って相対移動可能且つ操作コードまたは操作部材に対して相対回転可能となることを特徴とするブラインドの操作装置。
【請求項２】
前記補助具（２２）には、前記コード係止部としての一対のフック（２２ｂ）が形成されることを特徴とする請求項1記載のブラインドの操作装置。
【請求項３】
前記補助具（２２）の外周面には、前記挿通部（２２ｃ）に連通するスリット（２２ｄ）が形成され、該スリット（２２ｄ）から前記操作コードまたは操作部材に着脱自在に取り付けられることを特徴とする請求項１または２記載のブラインドの操作装置。
【請求項４】
遮蔽材（１２）を操作するために上部支持部材（１０）から垂下される操作コード（１４）の垂れ下がりを抑えるコード垂れ下がり防止補助具であって、
操作コード（１４）の一部が係止可能となった一対のコード係止部（２２ｂ）と、前記操作コード（１４）または前記操作コード以外の上部支持部材（１０）から垂下される操作部材（２４）が挿通する挿通部（２２ｃ）とを備え、
該操作コード（１４）または操作部材（２４）に着脱自在に、且つ操作コードまたは操作部材に沿って相対移動可能且つ操作コードまたは操作部材に対して相対回転可能に取り付けられることを特徴とするコード垂れ下がり防止補助具。
【発明の詳細な説明】
【技術分野】
【０００１】
本発明は、遮蔽材を操作するために上部支持部材から垂下される操作コードを有するブラインドの操作装置に関し、その操作コードの余分な垂れ下がりを抑えることができるブラインドの操作装置に関する。
【背景技術】
【０００２】
従来、この種のブラインドの操作装置としては、特許文献１に記載されたものが知られている。この特許文献１では、中空の回転操作棒の軸方向に所定間隔をあけて２箇所に昇降コードを巻き掛け可能なフックが設けられており、フックは、回転操作棒に取付可能な連結部と、連結部の側方に突出する「Ｔ」字状の突出部から構成され、突出部の「Ｔ」字の一方の片と連結部とによって昇降コードを挟み付け可能な挟持部が形成され、それぞれのフックは互いの挟持部が対向するように配置される。そして、回転操作棒の下端に設けられる中空のグリップから導出される昇降コードを２つのフックの間に渡って巻き掛けた後、昇降コードの端部を一方のフックの挟持部に巻き掛けることにより、昇降コードは挟持部に挟み付けられて保持されるので、フックから簡単に巻き解かれることなく、昇降コードの余分な垂れ下がりが抑えられるようになっている。
【０００３】
【特許文献１】実用新案登録第３００１４０６号公報
【発明の開示】
【発明が解決しようとする課題】
【０００４】
しかしながら、上記特許文献１の構成では、ヘッドボックスから垂下されて上下動しない回転操作棒にフックが取り付けられているために、使用するユーザによって手の届く高さが異なるにもかかわらず、コードが巻き掛けられる位置が一定となるため、操作が行いにくい、という問題がある。
【０００５】
フックの回転操作棒への取付位置を操作する毎に調整することも可能であるが、そのような調整は煩わしいという問題もある。
【０００６】
また、フックは回転操作棒と一体回転するため、昇降コードをフックに巻きかけたまま回転操作棒の回転操作を行なうと、回転に伴って昇降コードが回転操作棒に巻き付いてしまい、回転操作に支承を来たすという問題がある。
【０００７】
本発明はかかる課題に鑑みなされたもので、その目的は、簡単な操作で操作コードの余分な垂れ下がりを抑えることができるブラインドの操作装置を提供することである。
【課題を解決するための手段】
【０００８】
前述した目的を達成するために、請求項１記載の発明は、遮蔽材を操作するために上部支持部材から垂下される操作コードを有するブラインドの操作装置であって、
前記操作コードが係止可能なコード係止部が形成される補助具が設けられて、該補助具には挿通部が形成されて、該挿通部に前記操作コードまたは前記操作コード以外の上部支持部材から垂下される操作部材が挿通されており、補助具は操作コードまたは操作部材に沿って相対移動可能且つ操作コードまたは操作部材に対して相対回転可能となることを特徴とする。
【０００９】
請求項２記載の発明は、請求項１記載の前記補助具に、前記コード係止部としての一対のフックが形成されることを特徴とする。
【００１０】
請求項３記載の発明は、請求項１または２記載の前記補助具の外周面に、前記挿通部に連通するスリットが形成され、該スリットから前記操作コードまたは操作部材に着脱自在に取り付けられることを特徴とする。
【００１１】
請求項４記載の発明は、遮蔽材を操作するために上部支持部材から垂下される操作コードの垂れ下がりを抑えるコード垂れ下がり防止補助具であって、
操作コードの一部が係止可能となった一対のコード係止部と、前記操作コードまたは前記操作コード以外の上部支持部材から垂下される操作部材が挿通する挿通部とを備え、該操作コードまたは操作部材に着脱自在に、且つ操作コードまたは操作部材に沿って相対移動可能且つ操作コードまたは操作部材に対して相対回転可能に取り付けられることを特徴とする。
【発明の効果】
【００１２】
請求項１記載の発明によれば、補助具に形成されたコード係止部に操作コードの一部を係止することによって、操作コードの余分な垂れ下がりを短くすることができる。
【００１３】
補助具は操作コードまたは操作部材に沿って相対移動可能になっているために、補助具は通常その自重によって下方に位置づけられてユーザの手の届く範囲にあり、よって、その係止作業は簡単に行なうことができる。補助具を上下動させてその高さを適宜調整することで、操作コードの垂れ下がり量を調整することができる。
【００１４】
また、補助具が、操作コードまたは操作部材に対して相対回転可能となっているために、補助具を操作コード自身が挿通する場合には補助具の向きを自由に変えられることで、操作が簡単であり、また、補助具を操作コード以外の操作部材が挿通する場合には、補助具によってその操作部材の操作が妨害されることがない。
【００１５】
請求項２記載の発明によれば、一対のフックに操作コードを掛け渡すことで、操作コードを係止させることができる。
【００１６】
請求項３記載の発明によれば、使用環境によって操作コードの垂れ下がりを抑える必要がない場合には補助具を操作コードまたは操作部材から取り外して、簡素化することができる。
【００１７】
請求項４記載の発明によれば、使用環境によって操作コードの垂れ下がりを抑える必要がある場合に、コード垂れ下がり防止補助具が操作コードまたは操作部材に取り付けられてそのコード係止部に操作コードを係止することができるので、後付けによってブラインドの操作装置に操作コードの垂れ下がり抑制機能を持たせることができるようになる。該補助具が操作コードまたは操作部材に沿って相対移動可能になっているために、補助具は通常その自重によって下方に位置づけられてユーザの手の届く範囲にあり、よって、その係止作業は簡単に行なうことができる。補助具を上下動させてその高さを適宜調整することで、操作コードの垂れ下がり量を調整することができる。
【００１８】
また、補助具が、操作コードまたは操作部材に対して相対回転可能となっているために、補助具を操作コード自身が挿通する場合には補助具の向きを自由に変えられることで、操作が簡単であり、また、補助具を操作コード以外の操作部材が挿通する場合には、補助具によってその操作部材の操作が妨害されることがない。
【発明を実施するための最良の形態】
【００１９】
以下、図面を用いて本発明の実施の形態を説明する。
図１は、本発明のブランドの操作装置が適用可能なブラインドの一例であり、窓枠等の固定部に固定される上部支持部材１０と、上部支持部材に動作可能に支持される遮蔽材１２とを備えている。図示した例ではブラインドは縦型ブラインドとなっているが、これに限るものではなく、横型ブラインド、ロールスクリーン、プリーツスクリーン、ローマンシェードといった任意のブラインドに適用可能である。
【００２０】
そして、この遮蔽材１２の動作を操作するために上部支持部材１０からは操作コード１４が垂下されている。動作としては遮蔽材の左右移動、上下移動、回転といったものとすることができる。この操作コードは、直接遮蔽材に連結されるものであってもよいし、または遮蔽材を動作させるための機構部に連結されるものであってもよい。さらに、ループ状の操作コードは、図示したように折り返される１本の操作コードであってもよいし、または以下で述べるウエイト１６によって纏められる複数の操作コードであってもよい。
【００２１】
図２は、本発明の第１実施形態によるブラインドの操作装置の要部を表す図である。操作コード１４の垂下部分の下端にはウエイト１６が取り付けられている。ウエイト１６は、その上部にプーリー１８が軸支され、その下部に錘材２０が収納されている。この例では、１本の操作コード１４が、ウエイト１６内でプーリー１８に誘導されて折り返されてループ状となっている。よって、ウエイト１６はこのプーリー１８と錘材２０の重力との作用によって常にループ状の操作コードの最下点に位置づけられることになると共に、操作コード１４にはウエイト１６によって常時張力が作用するようになる。
【００２２】
ウエイト１６で折り返されてループ状となる一方側の操作コード１４には、ウエイト１６よりも上方にコード垂れ下がり防止補助具２２が着脱可能に取り付けられる。
【００２３】
図３に示すように、補助具２２は、円筒形のベース２２ａと、ベース２２ａの上下部にそれぞれ形成されたコード係止部としての一対のフック２２ｂと、ベース２２ａを上下に貫通する挿通部２２ｃと、ベース２２ａの上下全体に亘り長手方向に形成されて挿通部２２ｃに連通するスリット２２ｄと、を有している。
【００２４】
一対のフック２２ｂは、ベース２２ａの上部及び下部から伸びて、上下対称に配置されており、上方のフック２２ｂは上側に、下方のフック２２ｂは下側にそれぞれフック片２２ｅを備えている。
【００２５】
操作コード１４がスリット２２ｄを通り、挿通部２２ｃを挿通することで、補助具２２は操作コード１４に沿って上下方向に相対移動可能且つ操作コード１４に対して相対回転可能に取り付けられる。
【００２６】
以上のように構成されるブラインドの操作装置において、操作コード１４の不使用時の余分な垂れ下がりを抑えるには、図４（ｂ）に示すように、まず補助具２２を届く範囲で上方に持ち上げる。次いで、それよりも下方にある操作コード１４の部分を一対のフック２２ｂのフック片２２ｅ、２２ｅの間で掛け渡して、操作コード１４が適当な垂れ下がり長さとなるまで複数周フック片２２ｅ、２２ｅの間に巻き掛ける。操作コード１４は、操作コード１４に作用する張力により操作コード１４の弛みが防止されることによって、フック２２ｂからの巻き解きが防止されて、補助具２２に係止された状態を維持する（図４（ｃ）参照）。
【００２７】
こうして、操作コード１４の余分な垂れ下がりを防止することができ、操作コード１４が垂れ下がることによる欠点を解消することができる。補助具２２は、操作コード１４に対して上下方向に相対移動可能であるから、図４（ａ）に示すように不使用時には補助具２２の自重によって下方に下がっており、ユーザの手の高さがどのようなものであっても、簡単に操作することができる。また、補助具２２は、操作コード１４に対して相対回転可能であるので、フック２２ｂの向きを操作のし易い方向に向けることができて、簡単に操作することができる。
【００２８】
また、遮蔽材１２の動作をさせるべく操作コード１４を操作する場合には、補助具２２が操作コード１４に対して移動可能且つ回転可能となっているために、その操作コード１４の操作の妨害をすることはない。
【００２９】
この実施形態では、操作コード１４に着脱可能に取り付けられる補助具２２にフック２２ｂが形成されていたので、使用環境によって操作コードの垂れ下がりを抑える必要がない場合には補助具２２を操作コード１４から取り外して、簡素化することができる。
【００３０】
コード垂れ下がり防止補助具２２は、既存のブラインドの操作コードに取り付け可能にすることによって、後付によっても本発明のブラインドの操作装置を構成することができるようになる。
【００３１】
図５は、本発明の第２実施形態によるブラインドの操作装置の要部を表す図である。この実施形態では、ウエイト１６によって折り返される両方の操作コード１４がいずれも補助具２２の挿通部２２ｃを挿通している点で、第１実施形態と異なっているが、この実施形態においても、図６に示すように、操作コードの余分な垂れ下がりを抑えることができ、第１実施形態と同様の作用・効果が得られる。
【００３２】
図７は、本発明の第３実施形態によるブラインドの操作装置の要部を表す図である。この実施形態では、係止させる操作コード１４以外の操作部材に補助具２２が取り付けられている。第１または第２実施形態の場合には、操作コード１４以外の操作部材が操作コード１４に近接して存在する必要はないが、この実施形態では、垂れ下がりを防止しようとする操作コード１４以外に該操作コード１４に近接して、他の操作コードまたは操作棒といった操作部材が配設される。
【００３３】
この操作部材としては、例えば、操作コード１４と並んで配設されて、上部支持部材１０から垂下される操作棒２４とすることができる。操作棒２４の下端は操作棒２４よりも拡径の操作グリップ２６となっているために、補助具２２は、操作グリップ２６によって落下が防止されるが、図８（ａ）に示すように不使用時には補助具２２の自重によって下方に下がっている。
【００３４】
操作コード１４の不使用時の余分な垂れ下がりを抑えるには、図８（ｂ）に示すように、まず補助具２２を届く範囲で上方に持ち上げる。次いで、それよりも下方にあり隣接する操作コード１４の部分を一対のフック２２ｂのフック片２２ｅ、２２ｅの間で掛け渡して、操作コード１４が適当な垂れ下がり長さとなるまで複数周フック片２２ｅ、２２ｅの間に巻き掛ける。操作コード１４は、操作コード１４に作用する張力により操作コード１４の弛みが防止されることによって、フック２２ｂからの巻き解きが防止されて、補助具２２に係止された状態を維持する（図８（ｃ）参照）。こうして、操作コードの余分な垂れ下がりを抑えることができ、第１実施形態と同様の作用・効果が得られる。
【００３５】
また、補助具２２は、操作棒２４に対して相対回転可能となっているために、遮蔽材１２を回転させるために操作棒２４及び操作グリップ２６を回転させた場合に、操作コード１４が補助具２２にさらに巻き付くことがなく、その回転操作を阻害することはない。
【図面の簡単な説明】
【００３６】
【図１】本発明のブランドの操作装置が適用可能なブラインドの一例を表す斜視図である。
【図２】本発明の第１実施形態によるブラインドの操作装置の要部を表す図である。
【図３】コード垂れ下がり防止補助具の（ａ）平面図と、（ｂ）縦断面図である。
【図４】第１実施形態におけるコードの余分な垂れ下がりを抑えるための手順を表す図である。
【図５】本発明の第２実施形態によるブラインドの操作装置の要部を表す図である。
【図６】第２実施形態におけるコードの余分な垂れ下がりを抑えるための手順を表す図である。
【図７】本発明の第３実施形態によるブラインドの操作装置の要部を表す図である。
【図８】第３実施形態におけるコードの余分な垂れ下がりを抑えるための手順を表す図である。
【符号の説明】
【００３７】
１０  上部支持部材
１２  遮蔽材
１４  操作コード
１６  ウエイト
２２  コード垂れ下がり防止補助具
２２ｂ  フック（コード係止部）
２２ｃ  挿通部
２２ｄ  スリット
２４  操作棒（操作部材）
【図１】
2007255142.tif 000003
【図２】
2007255142.tif 000004
【図３】
2007255142.tif 000005
【図４】
2007255142.tif 000006
【図５】
2007255142.tif 000007
【図６】
2007255142.tif 000008
【図７】
2007255142.tif 000009
【図８】
2007255142.tif 000010